(57)【要約】【課題】ガラスドア用挟持組立キットを提供する。【解決手段】本発明のガラスドア用挟持組立キットは、外部挟持体と、内部挟持体と、自動復帰機構と、位置決めユニットとを備える。外部挟持体の上部にはガラスドアを挟持させるために用いられる上部挟持口が凹設され、外部挟持体の底部には内に凹むように第一側壁及び第二側壁が形成され、第一側壁及第二側壁の間には第一下部挟持口が形成される。第一側壁の内側には第一凸部が設けられ、内部挟持体は第一下部挟持口に装設され、内部挟持体の底部には内に凹むように第二下部挟持口が形成される。内部挟持体の両側は第一側壁及び第二側壁にそれぞれ当接される。内部挟持体は第一側壁に対応させる一側に第一側壁の第一凸部を滑動可能に設置させるための第一凹部が設けられる。自動復帰機構は第二下部挟持口に取り外し可能に設置され、位置決めユニットは第一側壁及び第一凸部に横方向に貫設されると共に内部挟持体の第一凹部に突き当てられる。【選択図】図３
2020007890.tif 000002
【特許請求の範囲】
【請求項１】
上部に上部挟持口が凹設される外部挟持体であって、前記上部挟持口はガラスドアを挟持させるために用いられ、前記外部挟持体の底部には内に凹むように相互に間隔を空けて第一側壁及び第二側壁が形成され、前記第一側壁及び前記第二側壁の間には第一下部挟持口が形成され、前記第一側壁の内側には横方向に延伸される第一凸部が設けられることと、
前記外部挟持体の前記第一下部挟持口に装設される内部挟持体であって、前記内部挟持体の底部には内に凹むように相互に間隔を空けて第三側壁及び第四側壁が形成され、前記第三側壁及び前記第四側壁の外側は前記第一側壁及び前記第二側壁の内側にそれぞれ当接され、前記第三側壁及び前記第四側壁の間には第二下部挟持口が形成され、前記第三側壁の外側が前記第一凸部に対応する箇所には横方向に延伸される第一凹部が設けられ、前記第三側壁の内側には横方向に延伸される第二凸部が設けられ、前記第一凹部は前記第二凸部に対応させることと、
前記内部挟持体の第二下部挟持口に取り外し可能に設置される自動復帰機構であって、前記自動復帰機構の一側が前記第二凸部に対応する箇所には横方向に延伸される第二凹部が設けられることと、
前記第一側壁及び前記第一凸部に横方向に貫設されると共に前記第三側壁の前記第一凹部に突き当てられる位置決めユニットとを備えることを特徴とするガラスドア用挟持組立キット。
【請求項２】
前記第二側壁の内側には横方向に延伸される第三凸部が設けられ、前記第四側壁の外側が前記第三凸部に対応する箇所には横方向に延伸される第三凹部が設けられ、前記第四側壁の内側には横方向に延伸される第四凸部が設けられ、前記第三凹部は前記第四凸部に対応させ、前記自動復帰機構の他側が前記第四凸部に対応する箇所には横方向に延伸される第四凹部が設けられることを特徴とする請求項１に記載のガラスドア用挟持組立キット。
【請求項３】
前記内部挟持体は前記第三側壁及び前記第四側壁に連接される上部壁を更に備え、前記自動復帰機構の上部には突き当てユニットが設置され、前記突き当てユニットは固定板及び突き当て部材を含み、前記固定板は前記自動復帰機構の上部に固着され、前記突き当て部材は前記固定板に設置されると共に前記内部挟持体の上部壁に突き当てられることを特徴とする請求項１に記載のガラスドア用挟持組立キット。
【請求項４】
前記外部挟持体は前記第一側壁及び前記第二側壁に連接される接合壁を更に備え、前記内部挟持体の上部壁は前記接合壁に突き当てられ、前記内部挟持体の上部壁は長スロットに縦方向に貫設され、固定部材は前記長スロットに貫設されると共に前記外部挟持体の前記接合壁に分離可能に固着され、これにより前記内部挟持体が前記外部挟持体に定位されることを特徴とする請求項３に記載のガラスドア用挟持組立キット。
【請求項５】
前記長スロットは相互に連通される収容区及び拡張区を備え、前記収容区は上に向けて開放され、前記拡張区は内から外に向けて徐々に拡張されると共に下に向けて開放され、前記固定部材はねじであり、且つ互いに連接されるヘッド部及びねじ部を有し、前記ヘッド部は前記拡張区に設けられ、前記ねじ部は前記収容区に貫設されると共に前記外部挟持体の前記接合壁に螺設されることを特徴とする請求項４に記載のガラスドア用挟持組立キット。
【請求項６】
前記位置決めユニットは無頭ネジであることを特徴とする請求項１に記載のガラスドア用挟持組立キット。
【請求項７】
前記突き当て部材は無頭ネジであり、前記突き当て部材は前記固定板に縦方向に螺設されると共に前記内部挟持体の上部壁に突き当てられることを特徴とする請求項３に記載のガラスドア用挟持組立キット。
【請求項８】
前記外部挟持体の外縁に設置されるカバーを更に備えることを特徴とする請求項１に記載のガラスドア用挟持組立キット。
【発明の詳細な説明】
【技術分野】
【０００１】
本発明は、ガラスドアの自動復帰機構に関し、更に詳しくは、ガラスドアの一側の上方または下方に装設されるガラスドア用挟持組立キットに関する。
【背景技術】
【０００２】
例えば、特許文献１（図２を参照）には、クランプ体１及び自動復帰機構２を備え、クランプ体は上部挟持口１１及び下部挟持口１２を有し、上部挟持口１１はガラスドアの下方に固定され、自動復帰機構２は下部挟持口１２に設置されるガラスドア用長クランプが記載されている。自動復帰機構２にはドライブシャフトが下向きに延出され、ドライブシャフトは地面に接続される。これにより、使用者がガラスドアを開閉する場合、ガラスドアによりクランプ体１及び自動復帰機構２が連動されて枢動され、自動復帰機構２のドライブシャフトにより自動復帰機構２内の油圧キットが駆動されて油圧が発生し、ガラスドアの自動復帰の目的が達成される。
【先行技術文献】
【特許文献】
【０００３】
【特許文献１】中国特許出願第103470151Ｂ号明細書
【発明の概要】
【発明が解決しようとする課題】
【０００４】
しかしながら、前述した従来の技術から分かるように、クランプ体１の下部挟持口１２のサイズは固定であるため、同一モデルの自動復帰機構２のみ収容可能である。ガラスドアは使用される場所に合わせてサイズ、厚さ、及び重量が設計されるため、異なるガラスドアに応用可能にするためには、自動復帰機構２のモデル及び大きさもそれに合わせて交換せねばならない。このため、製造メーカーでは異なる下部挟持口１２のサイズを有するクランプ体１により異なる自動復帰機構２を装設可能にすることに尽力しており、これが原因で製造コストが上昇し、経済利益を損なっていた。
【０００５】
そこで、本発明者は上記の欠点が改善可能と考え、鋭意検討を重ねた結果、合理的設計で上記の課題を効果的に改善する本発明の提案に到った。
【０００６】
本発明は上記問題に鑑みてなされたもので、異なるモデルの自動復帰機構に適用可能であり、製造コストを低下させ、経済利益に適うガラスドア用挟持組立キットを提供することを目的とする。
【課題を解決するための手段】
【０００７】
上述した課題を解決し、目的を達成するために、本発明に係るガラスドア用挟持組立キットの特徴は、外部挟持体と、内部挟持体と、自動復帰機構と、位置決めユニットとを備える。前記外部挟持体の上部には上部挟持口が凹設され、前記上部挟持口はガラスドアを挟持させるために用いられる。前記外部挟持体の底部には内に凹むように相互に間隔を空けて第一側壁及び第二側壁が形成され、前記第一側壁及び前記第二側壁の間には第一下部挟持口が形成され、前記第一側壁の内側には横方向に延伸される第一凸部が設けられる。前記内部挟持体は前記外部挟持体の前記第一下部挟持口に装設され、前記内部挟持体の底部には内に凹むように相互に間隔を空けて第三側壁及び第四側壁が形成され、前記第三側壁及び前記第四側壁の外側は前記第一側壁及び前記第二側壁の内側にそれぞれ当接される。前記第三側壁及び前記第四側壁の間には第二下部挟持口が形成され、前記第三側壁の外側が前記第一凸部に対応する箇所には横方向に延伸される第一凹部が設けられ、前記第三側壁の内側には横方向に延伸される第二凸部が設けられ、前記第一凹部は前記第二凸部に対応させる。前記自動復帰機構は前記内部挟持体の第二下部挟持口に取り外し可能に設置され、前記自動復帰機構の一側が前記第二凸部に対応する箇所には横方向に延伸される第二凹部が設けられ、前記位置決めユニットは前記第一側壁及び前記第一凸部に横方向に貫設されると共に前記第三側壁の第一凹部に突き当てられる。
【０００８】
好ましくは、前記第二側壁の内側には横方向に延伸される第三凸部が設けられ、前記第四側壁の外側が前記第三凸部に対応する箇所には横方向に延伸される第三凹部が設けられ、前記第四側壁の内側には横方向に延伸される第四凸部が設けられ、前記第三凹部は前記第四凸部に対応させる。前記自動復帰機構の他側が前記第四凸部に対応する箇所には横方向に延伸される第四凹部が設けられる。
【０００９】
好ましくは、前記内部挟持体は前記第三側壁及び前記第四側壁に連接される上部壁を更に備え、前記自動復帰機構の上部には突き当てユニットが設置される。前記突き当てユニットは固定板及び突き当て部材を含み、固定板は前記自動復帰機構の上部に固着され、前記突き当て部材は前記固定板に設置されると共に前記内部挟持体の上部壁に突き当てられる。
【００１０】
好ましくは、前記外部挟持体は前記第一側壁及び前記第二側壁に連接される接合壁を更に備える。前記内部挟持体の上部壁は前記接合壁に突き当てられ、前記内部挟持体の上部壁は長スロットに縦方向に貫設され、固定部材は前記長スロットに貫設されると共に前記外部挟持体の接合壁に分離可能に固着される。これにより、前記内部挟持体が前記外部挟持体に定位される。
【００１１】
好ましくは、前記長スロットは相互に連通される収容区及び拡張区を備え、前記収容区は上に向けて開放され、前記拡張区は内から外に向けて徐々に拡張されると共に下に向けて開放される。前記固定部材はねじであり、且つ互いに連接されるヘッド部及びねじ部を有する。前記ヘッド部は前記拡張区に設けられ、前記ねじ部は前記収容区に貫設されると共に前記外部挟持体の接合壁に螺設される。
【００１２】
好ましくは、前記位置決めユニットは無頭ネジである。
好ましくは、前記突き当て部材は無頭ネジであり、前記突き当て部材は前記固定板に縦方向に螺設されると共に前記内部挟持体の上部壁に突き当てられる。
【００１３】
好ましくは、前記挟持組立キットは、前記外部挟持体の外縁に設置されるカバーを更に備える。
【００１４】
これにより、使用者が大サイズの自動復帰機構に交換する場合、前記内部挟持体を取り外すのみで上述の大サイズの自動復帰機構を前記外部挟持体の第一下部挟持口に設置可能になる。次いで、前記位置決めユニットを前記第一側壁及び前記第一凸部に横方向に貫設させると共に前記大サイズの自動復帰機構の一側に突き当てることにより装設が完成する。
【発明の効果】
【００１５】
以上の説明を総合すると、前記外部挟持体の第一下部挟持口に前記内部挟持体が設置される場合、小サイズの前記自動復帰機構が前記内部挟持体の第二下部挟持口に装設され、前記内部挟持体を取り外すのみで大サイズの前記自動復帰機構が前記外部挟持体の第一下部挟持口に装設可能になる。便利になる効果を有し、且つ製造メーカーの製造コストを低下させて経済利益を向上させる。
【図面の簡単な説明】
【００１６】
【図１】本発明の一実施形態のガラスドアが挟持組立キットに装設され、挟持組立キットが床に装設される状態を示す左側面図である。
【図２】本発明の一実施形態を示す正面図である。
【図３】本発明の一実施形態の外部挟持体、内部挟持件、自動復帰機構及び位置決めユニットの位置関係を示す概略図である。
【図４】本発明の一実施形態の固定板と突き当て部材及び内部挟持件と自動復帰機構の位置関係を示す概略図である。
【図５】本発明の一実施形態の固定板、突き当て部材及び自動復帰機構の位置関係を示す底面概略図である。
【図６】本発明の内部挟持件の傾斜図であって、内部挟持件の上部壁が長いスロットを貫通する状態を示す。
【図７】本発明の挟持組立キットが内部挟持件を取り外して大きいサイズの自動復帰機構が装設される概略図である。
【発明を実施するための形態】
【００１７】
以下、図面を参照しつつ、本発明に係るガラスドア用挟持組立キットについて具体的に説明する。尚、以下に説明する実施の形態は、特許請求の範囲に記載された本発明の内容を限定するものではない。また、以下に説明される構成の全てが、本発明の必須要件であるとは限らない。
【００１８】
本発明の一実施形態のガラスドア用挟持組立キット１は、ガラスドアＡの一側の下方に装設させるために用いられ、且つ床５に固定されるプレートユニット３に相互に連結される。本実施形態では、挟持組立キット１はガラスドアＡの同側の上方に設置されるピボット組立キット２と組み合わせられて使用される。ピボット組立キット２は上方のドアフレーム４に枢着され、ガラスドアＡの枢動と同時にピボット組立キット２及び挟持組立キット１が連動されて同期で枢動され、ガラスドアＡを開閉させる目的が達成される（図１及び図２参照）。
【００１９】
なお、図３乃至図６を参照し、本発明の一実施形態の挟持組立キット１は、外部挟持体１０と、内部挟持体２０と、自動復帰機構３０と、位置決めユニット４０と、カバー５０とを備える。
【００２０】
図１及び図３から分かるように、左側から見た場合、外部挟持体１０の横断面はほぼ「Ｈ」形状を呈し、外部挟持体１０の上部には上部挟持口１２が凹設される。より詳しくは、外部挟持体１０の上部には内に凹むように相互に間隔を空けて２つの挟持壁１１が形成され、２つの挟持壁１１の間には上部挟持口１２が形成され、２つの挟持壁１１は互いに平行する。上部挟持口１２はガラスドアＡを挟持させるために用いられる。何れか１つの挟持壁１１は第一ネジ穴１３に横方向に貫設され、無頭ネジ１４は第一ネジ穴１３に螺合されると共にガラスドアＡに突き当てられ、ガラスドアＡが上部挟持口１２中に堅固に定位される。本実施形態において無頭ネジ１４を使用する目的は、挟持組立キット１の外観をフラットにし、且つ後述のカバー５０の装設を容易にすることである。外部挟持体１０の底部には第一下部挟持口１６が凹設され、より詳しくは、外部挟持体１０の底部には内に凹むように相互に間隔を空けて第一側壁１５及び第二側壁１７が形成され、及び第一側壁１５及び第二側壁１７に連接される接合壁１８が形成され、第一側壁１５と第二側壁１７との間には第一下部挟持口１６が形成される。接合壁１８は上部挟持口１２と第一下部挟持口１６との間に位置され、第一側壁１５及び第二側壁１７は各挟持壁１１の下方にそれぞれ位置され、且つ第一側壁１５及び第二側壁１７は互いに平行し、後述の内部挟持体２０が第一下部挟持口１６に滑動可能に設置される。第一側壁１５の内側には横方向に延伸される第一凸部１５２が設けられ、第二側壁１７の内側には横方向に延伸される第三凸部１７２が設けられ、第一凸部１５２及び第三凸部１７２は対応し合うと共に同じ高さに位置される。第二ネジ穴１９は第一側壁１５及び第一凸部１５２を横方向に貫通させ、より詳しくは、本実施形態では、第二ネジ穴１９の数量は複数であり、且つ一定の間隔で横方向に配列される。各第二ネジ穴１９は全て第一側壁１５及び第一凸部１５２を横方向に貫通させるが、他の実施形態では第二ネジ穴１９の数量に制限はなく、１つでも１つ以上の第二ネジ穴１９でも全て本発明の範疇に含まれる。接合壁１８は第三ネジ穴１８２を縦方向に貫通させ、より詳しくは、本実施形態では、図２及び図４に示すように、第三ネジ穴１８２の数量は複数であり、且つ一定の間隔で横方向に配列される。各第三ネジ穴１８２は全て接合壁１８を縦方向に貫通させるが、他の実施形態では、第三ネジ穴１８２の数量に制限はなく、１つでも１つ以上の第三ネジ穴１８２でも全て本発明の範疇に含まれる。
【００２１】
内部挟持体２０は外部挟持体１０の第一下部挟持口１６に装設される。図１及び図３に示すように、左側から見た場合、内部挟持体２０の横断面はほぼ
2020007890.tif 000003
形状を呈する。内部挟持体２０の底部には第二下部挟持口２２が凹設され、より詳しくは、内部挟持体２０の底部には内に凹むように相互に間隔を空けて第三側壁２１及び第四側壁２３が形成され、及び第三側壁２１及び第四側壁２３に連接される上部壁２４が形成され、第三側壁２１の外側及び第四側壁２３の外側は第一側壁１５の内側及び第二側壁１７の内側にそれぞれ当接される。第三側壁２１と第四側壁２３との間には第二下部挟持口２２が形成され、第三側壁２１の外側は第一凸部１５２に対応する箇所に横方向に延伸される第一凹部２１２が設けられ、第四側壁２３の外側は第三凸部１７２に対応する箇所に横方向に延伸される第三凹部２３２が設けられる。これにより、第一凸部１５２及び第三凸部１７２が第一凹部２１２及び第三凹部２３２にそれぞれ滑動可能に設置され、内部挟持体２０が第一下部挟持口１６に滑動可能に設置される。第三側壁２１の内側には横方向に延伸される第二凸部２１４が設けられ、第一凹部２１２は前記第二凸部２１４に対応させ、第四側壁２３の内側には横方向に延伸される第四凸部２３４が設けられ、第三凹部２３２は第四凸部２３４に対応させる。内部挟持体２０の上部壁２４の上側は外部挟持体１０の接合壁１８の底側に突き当てられ、前記内部挟持体２０の上部壁２４は長スロット２５に縦方向に貫設される。長スロット２５は接合壁１８の第三ネジ穴１８２に対応させ、長スロット２５の数量は第三ネジ穴１８２の数量と同じである。他の実施形態では、長スロット２５及び第三ネジ穴１８２の数量は１つでも１つ以上でもよく、固定部材２６は長スロット２５に貫設されると共に外部挟持体１０の接合壁１８に分離可能に固着され、内部挟持体２０が外部挟持体１０に定位される。より詳しくは、長スロット２５は相互に連通される収容区２５２及び拡張区２５４を備え、前記収容区２５２は上に向けて開放され、前記拡張区２５４は内から外に向けて徐々に拡張されると共に下に向けて開放される。固定部材２６はねじであり、且つ互いに連接されるヘッド部２６２及びねじ部２６４を有する。ヘッド部２６２は錐形状を呈すると共に前記拡張区２５４に設置され、ヘッド部２６２の外縁が拡張区２５４の壁面に当接される。ねじ部２６４は収容区２５２に貫設されると共に外部挟持体１０の接合壁１８の第三ネジ穴１８２に螺設される。ねじ部２６４が第三ネジ穴１８２の好適な位置に螺入されると、ヘッド部２６２が長スロット２５の拡張区２５４の壁面にきつく当接され、内部挟持体２０が外部挟持体１０の第一下部挟持口１６に定位される。また、図４によると、長スロット２５の長さが固定部材２６の外径より長いため、使用者が固定部材２６を第三ネジ穴１８２からやや緩めることでヘッド部２６２が長スロット２５の拡張区２５４の壁面にきつく当接されなくなると、使用者が内部挟持体２０を外部挟持体１０の第一下部挟持口１６中の位置で左右に調整可能になる。
【００２２】
自動復帰機構３０は内部挟持体２０の第二下部挟持口２２に取り外し可能に設置され、自動復帰機構３０は本実施形態では油圧ヒンジ（hydraulic hinge）であり、自動復帰機構３０はほぼ長方体形状を呈し、自動復帰機構３０の両側は内部挟持体２０の第三側壁２１及び第四側壁２３にそれぞれ当接される。自動復帰機構３０の両側には横方向に延伸される第二凹部３２及び横方向に延伸される第四凹部３４がそれぞれ設けられ、第二凹部３２及び第四凹部３４は互いに対応し合うと共に同じ高さに位置される。第二凹部３２及び第四凹部３４は第三側壁２１の内側の第二凸部２１４及び第四側壁２３の内側の第四凸部２３４にそれぞれ対応させる。これにより、第二凸部２１４及び第四凸部２３４が第二凹部３２及び第四凹部３４にそれぞれ滑動可能に設置され、自動復帰機構３０が内部挟持体２０の第二下部挟持口２２に滑動可能に設置される。図３及び図４に示すように、本実施形態では、自動復帰機構３０の上部には２つの突き当てユニット３６が設置され、２つの突き当てユニット３６は自動復帰機構３０の上部の両側にそれぞれ設置される。各前記突き当てユニット３６は固定板３７及び突き当て部材３８を備え、固定板３７は本実施形態においてはねじ３９により自動復帰機構３０の上部に固着される。他の実施形態では、溶接または一体成形方式で自動復帰機構３０の上部に接合されてもよく、突き当て部材３８は前記固定板３７に設置されると共に内部挟持体２０の上部壁２４に突き当てられる。より詳しくは、図５を参照し、固定板３７は互いに連接される２つの側部３７２、３７４を有し、固定板３７の側部３７２はねじ３９により自動復帰機構３０の上部に固着され、固定板３７の他の側部３７４は自動復帰機構３０の上部に横方向に延出され、突き当て部材３８は自動復帰機構３０の上部に延出される固定板３７の側部３７４に設置される。本実施形態では、突き当て部材３８は無頭ネジであり、突き当て部材３８は固定板３７に縦方向に螺設されると共に内部挟持体２０の上部壁２４に突き当てられる。これにより、突き当て部材３８がロックされることにより突き当て部材３８が内部挟持体２０の上部壁２４にきつく当接されると、自動復帰機構３０が内部挟持体２０の第二下部挟持口２２に定位され、突き当て部材３８を緩めるのみで自動復帰機構３０が内部挟持体２０の第二下部挟持口２２中で左右に移動してその位置が調整され、更には、第二下部挟持口２２中から取り外されて自動復帰機構３０を内部挟持体２０の第二下部挟持口２２に取り外し可能に設置させる目的を達成させる。ちなみに、他の好ましい実施形態では、突き当てユニット３６が自動復帰機構３０の上部に設置されるのみで同じ効果が達成される。よって、自動復帰機構３０の上部に突き当てユニット３６または２つの突き当てユニット３６が設置される形態はどちらも本発明の範疇に含まれる。また、自動復帰機構３０のドライブシャフト３１は下向きに延出されると共に床５のプレートユニット３に連結され、ガラスドアＡが枢動されると共に自動復帰機構３０が連動されて枢動される場合、ドライブシャフト３１により自動復帰機構３０内部の油圧キットが駆動されて油圧を発生させ、ガラスドアＡの自動復帰効果を達成させる。
【００２３】
図３を参照し、位置決めユニット４０は第一側壁１５及び第一凸部１５２に横方向に貫設されると共に第三側壁２１の外側の第一凹部２１２に突き当てられる。より詳しくは、位置決めユニット４０は無頭ネジであり、位置決めユニット４０は第二ネジ穴１９に螺設されると共に第三側壁２１の外側の第一凹部２１２に突き当てられる。第三側壁２１の外側の第一凹部２１２が第三側壁２１の内側の第二凸部２１４及び自動復帰機構３０の一側の第二凹部３２に対応させるため、位置決めユニット４０がロックされると同時に自動復帰機構３０と内部挟持体２０及び外部挟持体１０との間の結合強度が増強され、自動復帰機構３０及び内部挟持体２０が外部挟持体１０の第一下部挟持口１６中に更に堅固に定位される。また、無頭ネジを位置決めユニット４０として使用する目的は、外部挟持体１０の表面をフラットにし、後述のカバー５０を装設しやすくするためである。
【００２４】
カバー５０は金属材質で製造され、外部挟持体１０の外縁に設置されると共に２つの挟持壁１１、第一側壁１５、及び第二側壁１７を被覆させる。これにより、挟持組立キット１全体の美感がフラットになり、且つ外部挟持体１０の外縁が保護され、外力の衝撃を受けて損傷を被ることを防止させる。
【００２５】
上述の説明を総合し、図３を参照し、外部挟持体１０の第一下部挟持口１６に内部挟持体２０が設置される場合、小サイズの自動復帰機構３０が内部挟持体２０の第二下部挟持口２２に装設される。続いて、図７を参照し、内部挟持体２０を取り外すのみで大サイズの自動復帰機構３０'が前記外部挟持体１０の第一下部挟持口１６に装設可能になる。ちなみに、大サイズの自動復帰機構３０'が同様に両側に横方向に延伸される第二凹部３２'及び第四凹部３４'が設けられることによって、第一凸部１５２、位置決めユニット４０、及び第三凸部１７２により外部挟持体１０の第一下部挟持口１６中に定位される。これにより、本発明に係る挟持組立キット１が便利になる効果を有し、且つ製造メーカーの製造コストを低下させて経済利益を向上させる。
【００２６】
以上、本発明の実施形態について図面を参照して詳述したが、具体的な構成はこの実施形態に限られるものではなく、本発明の要旨を逸脱しない範囲の設計変更等も含まれる。
【符号の説明】
【００２７】
１  挟持組立キット
２  ピボット組立キット
３  プレートユニット
４  ドアフレーム
５  床
Ａ  ガラスドア
１０  外部挟持体
１１  挟持壁
１２  上部挟持口
１３  第一ネジ穴
１４  無頭ネジ
１５  第一側壁
１５２  第一凸部
１６  第一下部挟持口
１７  第二側壁
１７２  第三凸部
１８  接合壁
１８２  第三ネジ穴
１９  第二ネジ穴
２０  内部挟持体
２１  第三側壁
２１２  第一凹部
２１４  第二凸部
２２  第二下部挟持口    
２３  第四側壁
２３２  第三凹部
２３４  第四凸部
２４  上部壁
２５  長スロット
２５２  収容区
２５４  拡張区
２６  固定部材
２６２  ヘッド部
２６４  ねじ部
３０  自動復帰機構
３０'  自動復帰機構
３１  ドライブシャフト
３２  第二凹部
３２'  第二凹部
３４  第四凹部
３４'  第四凹部
３６  突き当てユニット
３７  固定板
３７２  側部
３７４  側部
３８  突き当て部材
３９  ねじ
４０  位置決めユニット
５０  カバー
【図１】
2020007890.tif 000004
【図２】
2020007890.tif 000005
【図３】
2020007890.tif 000006
【図４】
2020007890.tif 000007
【図５】
2020007890.tif 000008
【図６】
2020007890.tif 000009
【図７】
2020007890.tif 000010
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
上部に上部挟持口が凹設される外部挟持体であって、前記上部挟持口はガラスドアを挟持させるために用いられ、前記外部挟持体の底部には内に凹むように相互に間隔を空けて第一側壁及び第二側壁が形成され、前記第一側壁及び前記第二側壁の間には第一下部挟持口が形成され、前記第一側壁の内側には横方向に延伸される第一凸部が設けられた前記外部挟持体と、
前記外部挟持体の前記第一下部挟持口に装設される内部挟持体であって、前記内部挟持体の底部には内に凹むように相互に間隔を空けて第三側壁及び第四側壁が形成され、前記第三側壁及び前記第四側壁の外側は前記第一側壁及び前記第二側壁の内側にそれぞれ当接され、前記第三側壁及び前記第四側壁の間には第二下部挟持口が形成され、前記第二下部挟持口には、前記第２凸部に対応する箇所に横方向に延伸される第２凹部が設けられた機構が取り外し可能に設置され、前記第三側壁の外側が前記第一凸部に対応する箇所には横方向に延伸される第一凹部が設けられ、前記第三側壁の内側には横方向に延伸される第二凸部が設けられ、前記第一凹部は前記第二凸部に対応させた前記内部挟持体と、
前記第一側壁及び前記第一凸部に横方向に貫設されると共に前記第三側壁の前記第一凹部に突き当てられる位置決めユニットと
を備え、
前記外部挟持体は、前記第一側壁及び前記第二側壁に連接される接合壁を備え、
前記外部挟持体には、前記上部挟持口から前記第一下部挟持口まで前記接合壁を貫通するねじ穴が設けられ、
前記内部挟持体の上部壁は前記接合壁に突き当てられ、前記内部挟持体の上部壁には、縦方向に貫設する長スロットが設けられ、固定部材は前記長スロットに貫設されると共に前記外部挟持体の前記ねじ穴に螺設され、これにより前記内部挟持体が前記外部挟持体に定位されることを特徴とするガラスドア用挟持組立キット。
【請求項２】
前記第二側壁の内側には横方向に延伸される第三凸部が設けられ、前記第四側壁の外側が前記第三凸部に対応する箇所には横方向に延伸される第三凹部が設けられ、前記第四側壁の内側には横方向に延伸される第四凸部が設けられ、前記第三凹部は前記第四凸部に対応させ、前記自動復帰機構の他側が前記第四凸部に対応する箇所には横方向に延伸される第四凹部が設けられることを特徴とする請求項１に記載のガラスドア用挟持組立キット。
【請求項３】
前記内部挟持体は、前記第三側壁及び前記第四側壁に連接される上部壁を更に備え、
前記自動復帰機構の上部には突き当てユニットが設置され、前記突き当てユニットは固定板及び突き当て部材を含み、前記固定板は前記自動復帰機構の上部に固着され、前記突き当て部材は前記固定板に設置されると共に前記内部挟持体の前記上部壁に突き当てられることを特徴とする請求項１に記載のガラスドア用挟持組立キット。
【請求項４】
前記長スロットは、相互に連通される収容区及び拡張区を備え、
前記収容区は上に向けて開放され、
前記拡張区は内から外に向けて徐々に拡張されると共に下に向けて開放され、
前記固定部材はねじであり、且つ互いに連接されるヘッド部及びねじ部を有し、前記ヘッド部は前記拡張区に設けられ、前記ねじ部は前記収容区に貫設されると共に前記外部挟持体の前記接合壁に螺設されることを特徴とする請求項１に記載のガラスドア用挟持組立キット。
【請求項５】
前記位置決めユニットは無頭ネジであることを特徴とする請求項１に記載のガラスドア用挟持組立キット。
【請求項６】
前記突き当て部材は無頭ネジであり、前記突き当て部材は前記固定板に縦方向に螺設されると共に前記内部挟持体の前記上部壁に突き当てられることを特徴とする請求項３に記載のガラスドア用挟持組立キット。
【請求項７】
前記外部挟持体の外縁に設置されるカバーを更に備えることを特徴とする請求項１に記載のガラスドア用挟持組立キット。